(57)【要約】【課題】口内法によるＸ線撮影時に、歯の隣接面同士の重なりが抑制された画像が得られるようにする。【解決手段】口内法Ｘ線撮影用インジケータ１０は、Ｘ線照射装置１８からのＸ線照射方向Ａを案内するガイド部１４と、ガイド部１４からＸ線照射方向Ａに延びる第１アーム１１と、第１アーム１１の一端部から延びる第２アーム１２と、第２アーム１２に取り付けられる基部２４及びＸ線受光部２９を保持可能な保持部２６を有するホルダ１６と、を有し、第２アーム１２は、第１アーム１１に対する角度を変更可能とされ、第２アーム１２の角度の変更により、Ｘ線照射方向Ａと保持部２６との交差角度θを調節可能とされている。【選択図】図１
2020048820.tif 000002
【特許請求の範囲】
【請求項１】
Ｘ線照射装置からのＸ線照射方向を案内するガイド部と、
前記ガイド部から前記Ｘ線照射方向に延びる第１アームと、
前記第１アームの一端部から延びる第２アームと、
前記第２アームに取り付けられる基部及びＸ線受光部を保持可能な保持部を有するホルダと、を有し、
前記第２アームは、前記第１アームに対する角度を変更可能とされ、前記第２アームの角度の変更により、前記Ｘ線照射方向と前記保持部との交差角度を調節可能とされた口内法Ｘ線撮影用インジケータ。
【請求項２】
前記第２アームは、前記第１アームに対して回動可能に取り付けられている請求項１に記載の口内法Ｘ線撮影用インジケータ。
【請求項３】
Ｘ線照射装置からのＸ線照射方向を案内するガイド部と、
前記ガイド部から延びるアームと、
前記アームに取り付けられる基部及びＸ線受光部を保持可能な保持部を有するホルダと、を有し、
前記基部は、前記アームに対する角度を変更可能とされ、前記基部の角度の変更により、前記Ｘ線照射方向と前記保持部との交差角度を調節可能とされた口内法Ｘ線撮影用インジケータ。
【請求項４】
前記基部に対する前記保持部の角度を変更可能とされた請求項１〜請求項３の何れか１項に記載の口内法Ｘ線撮影用インジケータ。
【請求項５】
Ｘ線照射装置からのＸ線照射方向を案内するガイド部と、
前記ガイド部から延びるアームと、
前記アームに取り付けられる基部及びＸ線受光部を保持可能な保持部を有するホルダと、を有し、
前記保持部は、前記基部に対する角度を変更可能とされ、前記保持部の角度の変更により、前記Ｘ線照射方向と前記保持部との交差角度を調節可能とされた口内法Ｘ線撮影用インジケータ。
【請求項６】
前記交差角度の範囲は、７０度〜１００度である請求項１〜請求項５の何れか１項に記載の口内法Ｘ線撮影用インジケータ。
【発明の詳細な説明】
【技術分野】
【０００１】
本発明は、口内法Ｘ線撮影用インジケータに関する。
【背景技術】
【０００２】
口内法による歯科Ｘ線撮影用の補助具が開示されている（特許文献１〜３参照）。口内法Ｘ線撮影は、フィルムやデジタルセンサ（イメージングプレート）等のＸ線受光部を、口内の疾患部位に当接させるように挿入して患者に保持させつつ、口外から疾患部位にＸ線を照射して行う撮影方法である。
【先行技術文献】
【特許文献】
【０００３】
【特許文献１】特開２００３−１９０１５０号公報
【特許文献２】特開２００６−３０９号公報
【特許文献３】特開２０１０−２９６３７号公報
【発明の概要】
【発明が解決しようとする課題】
【０００４】
口内法によるＸ線撮影には、従来から上記のような補助具（インジケータ）が用いられている。これは、Ｘ線受光部を保持可能な構造を有し、歯の噛み合わせによって患者への位置固定を行うことで、Ｘ線照射装置によるＸ線の照射方向を明示することができる器具である。複数のメーカーからこのようなインジケータが販売されているが、何れもＸ線の照射方向（主線方向）がＸ線受光部に対して９０度（直角）となるように設定されている。
【０００５】
しかしながら、歯列を上面視した場合において、互いに隣接する歯の共通接線（正放線）の方向は、歯列の並び方向に対して必ずしも直角ではない。発明者らの検討によれば、例えば上顎臼歯部では、歯列の並び方向に対する正放線の角度が約８０度であることが明らかとなった。したがって、Ｘ線受光部を例えば上顎臼歯部の歯列の内側に沿って配置した場合、従来のようにＸ線の主線方向がＸ線受光部に対して直角であると、臼歯の隣接面同士が一部重なって撮影されてしまうことがある。隣接面同士が重なった画像は、虫歯の診断能を低下させる。
【０００６】
本発明は、口内法によるＸ線撮影時に、歯の隣接面同士の重なりが抑制された画像が得られるようにすることを目的とする。
【課題を解決するための手段】
【０００７】
第１の態様に係る口内法Ｘ線撮影用インジケータは、Ｘ線照射装置からのＸ線照射方向を案内するガイド部と、前記ガイド部から前記Ｘ線照射方向に延びる第１アームと、前記第１アームの一端部から延びる第２アームと、前記第２アームに取り付けられる基部及びＸ線受光部を保持可能な保持部を有するホルダと、を有し、前記第２アームは、前記第１アームに対する角度を変更可能とされ、前記第２アームの角度の変更により、前記Ｘ線照射方向と前記保持部との交差角度を調節可能とされている。
【０００８】
この口内法Ｘ線撮影用インジケータでは、ガイド部により、Ｘ線照射装置からのＸ線照射方向を案内することができる。第１アームは、ガイド部からＸ線照射方向に延びている。第２アームは、第１アームの一端部から延びており、第１アームに対する角度を変更可能とされている。第２アームには、Ｘ線受光部を保持可能な保持部を有するホルダが取り付けられている。
【０００９】
第１アームに対する第２アームの角度を変更すると、第１アームが延びる方向であるＸ線照射方向と、第２アームに取り付けられたホルダの保持部との交差角度が変化する。したがって、Ｘ線照射方向と保持部との交差角度が従来のように９０度（直角）に限定されず、該交差角度を９０度より小さくしたり、大きくしたりすることが可能である。
【００１０】
上記したように、例えば上顎臼歯部では、歯列の並び方向に対する正放線の角度が約８０度である。したがって、口内法によるＸ線撮影を行う場合、Ｘ線照射方向と保持部との交差角度が８０度となるように、第１アームに対する第２アームの角度を調節しておく。そして、保持部に取り付けたＸ線受光部を患者の口内に挿入し、歯列の内側に沿って配置する。そうすると、Ｘ線照射方向が、互いに隣接する歯の共通接線（正放線）に一致又は近似する。このため、口内法によるＸ線撮影時に、歯の隣接面同士の重なりが抑制された画像が得られる。
【００１１】
第２の態様は、第１の態様に係る口内法Ｘ線撮影用インジケータにおいて、前記第２アームが、前記第１アームに対して回動可能に取り付けられている。
【００１２】
この口内法Ｘ線撮影用インジケータでは、第２アームを第１アームに対して回動させることで、第１アームに対する第２アームの角度を容易に変更することができる。このため、Ｘ線照射方向と保持部との交差角度を容易に調節することができる。
【００１３】
第３の態様に係る口内法Ｘ線撮影用インジケータは、Ｘ線照射装置からのＸ線照射方向を案内するガイド部と、前記ガイド部から延びるアームと、前記アームに取り付けられる基部及びＸ線受光部を保持可能な保持部を有するホルダと、を有し、前記基部は、前記アームに対する角度を変更可能とされ、前記基部の角度の変更により、前記Ｘ線照射方向と前記保持部との交差角度を調節可能とされている。
【００１４】
この口内法Ｘ線撮影用インジケータでも、アームに対するホルダの基部の角度を変更すると、第１の態様と同様に、Ｘ線照射方向と、アームに取り付けられたホルダの保持部との交差角度が変化する。したがって、Ｘ線照射方向と保持部との交差角度が従来のように９０度（直角）に限定されず、該交差角度を９０度より小さくしたり、大きくしたりすることが可能である。なお、第３の態様を単独で用いた場合でも、第１の態様と同様の作用効果を奏する。また、第３の態様を単独で用いるだけでなく、第１の態様又は第２の態様に加えて第３の態様を適用したり、第１の態様〜第３の態様をすべて適用したりすることもできる。
【００１５】
第４の態様は、第１〜第３の態様の何れか１態様に係る口内法Ｘ線撮影用インジケータにおいて、前記基部に対する前記保持部の角度を変更可能とされている。
【００１６】
Ｘ線照射方向と保持部との交差角度が９０度（直角）でない状態で撮影した場合、歯の隣接面同士の重なりが抑制された画像が得られるものの、投影法が一種の偏心投影法となるため、その画像では、歯が歯列方向に若干引き伸ばされた状態となる。
【００１７】
この口内法Ｘ線撮影用インジケータでは、ホルダにおいて、基部に対する保持部の角度が変更可能となっている。Ｘ線照射方向と保持部との交差角度が９０度（直角）となるように保持部の角度を変更することで、歯が歯列方向に引き伸ばされて撮影されることを抑制できる。このため、歯の形状を正確に撮影することができる。
【００１８】
第５の態様に係る口内法Ｘ線撮影用インジケータは、Ｘ線照射装置からのＸ線照射方向を案内するガイド部と、前記ガイド部から延びるアームと、前記アームに取り付けられる基部及びＸ線受光部を保持可能な保持部を有するホルダと、を有し、前記保持部は、前記基部に対する角度を変更可能とされ、前記保持部の角度の変更により、前記Ｘ線照射方向と前記保持部との交差角度を調節可能とされている。
【００１９】
この口内法Ｘ線撮影用インジケータでも、ホルダにおいて基部に対する保持部の角度を変更すると、第１の態様及び第３の態様と同様に、Ｘ線照射方向と保持部との交差角度が変化する。したがって、Ｘ線照射方向と保持部との交差角度が従来のように９０度（直角）に限定されず、該交差角度を９０度より小さくしたり、大きくしたりすることが可能である。なお、第５の態様を単独で用いた場合でも、第１の態様及び第３の態様と同様の作用効果を奏する。
【００２０】
第６の態様は、第１〜第５の態様の何れか１態様に係る口内法Ｘ線撮影用インジケータにおいて、前記交差角度の範囲が、７０度〜１００度である。
【００２１】
歯列の並び方向と正放線とがなす角度は、歯の位置によって変化するものの、７０度〜１００度の範囲に収まっている。この口内法Ｘ線撮影用インジケータでは、Ｘ線照射方向と保持部との交差角度の範囲が上記のように設定されているので、どの位置の歯についても、口内法によるＸ線撮影時に、歯の隣接面同士の重なりが抑制された画像が得られる。
【発明の効果】
【００２２】
本発明に係る口内法Ｘ線撮影用インジケータによれば、口内法によるＸ線撮影時に、歯の隣接面同士の重なりが抑制された画像が得られる。
【図面の簡単な説明】
【００２３】
【図１】第１実施形態に係る口内法Ｘ線撮影用インジケータを示す斜視図である。
【図２】第１アームと第２アームとの結合部を示す拡大斜視図である。
【図３】第１アームと第２アームとの結合部に付された目盛を示す拡大平面図である。
【図４】第１実施形態に係る口内法Ｘ線撮影用インジケータの使用状態を示す斜視図である。
【図５】歯列の内側にＸ線受光部を配置した状態を示す斜視図である。
【図６】下顎の歯列において歯列方向と正放線とがなす角度を示す平面図である。
【図７】歯列の内側にＸ線受光部を配置した状態を示す平面図である。
【図８】図９の画像の撮影方向を示す平面図である。
【図９】臼歯部を含む歯列のＸ線撮影画像であり、臼歯の隣接面同士が重ならずに撮影されている。
【図１０】図１１の画像の撮影方向を示す平面図である。
【図１１】臼歯部を含む歯列のＸ線撮影画像であり、臼歯の隣接面同士が一部重なって撮影されている。
【図１２】第２実施形態に係る口内法Ｘ線撮影用インジケータにおけるホルダを示す分解斜視図である。
【図１３】第２実施形態に係る口内法Ｘ線撮影用インジケータの使用状態を示す平面図である。
【図１４】第３実施形態に係る口内法Ｘ線撮影用インジケータにおいて、歯列の内側にＸ線受光部を配置した状態を示す平面図である。
【図１５】第４実施形態に係る口内法Ｘ線撮影用インジケータにおいて、歯列の内側にＸ線受光部を配置した状態を示す平面図である。
【図１６】第４実施形態に係る口内法Ｘ線撮影用インジケータにおいて、ホルダの構造を示す部分拡大斜視図である。
【図１７】第５実施形態に係る口内法Ｘ線撮影用インジケータにおいて、歯列の内側にＸ線受光部を配置した状態を示す平面図である。
【図１８】第５実施形態に係る口内法Ｘ線撮影用インジケータにおいて、ホルダの構造を示す部分拡大斜視図である。
【発明を実施するための形態】
【００２４】
以下、本発明を実施するための形態を図面に基づき説明する。
【００２５】
［第１実施形態］
図１において、本実施形態に係る口内法Ｘ線撮影用インジケータ１０は、ガイド部１４と、第１アーム１１と、第２アーム１２と、ホルダ１６と、を有している。
【００２６】
ガイド部１４は、Ｘ線照射装置１８からのＸ線照射方向Ａを案内する部位であり、例えばリング部１４Ａを有する樹脂部品である。リング部１４Ａの外周部には、第１アーム１１を取り付けるためのアーム取付け部１４Ｂが設けられている。アーム取付け部１４Ｂは円筒状に形成されており、その軸方向はリング部１４Ａの軸方向（Ｘ線照射方向Ａに相当）と平行である。
【００２７】
図４に示されるように、ガイド部１４は、Ｘ線照射装置１８の照射筒２２の外周面に取付け可能となっている。ガイド部１４は、照射筒２２に対して、嵌合により固定される構造であってもよい。また、ガイド部１４は、照射筒２２に対して、止めねじ等の固定手段（図示せず）により固定される構造であってもよい。なお、口内法Ｘ線撮影用インジケータ１０の使用時に、必ずしもガイド部１４を照射筒２２に取り付けなくてもよい。照射筒２２の中心をガイド部１４の中心に合わせるようにして照射筒２２の先端をガイド部１４に平行に接近させることで、Ｘ線の照射方向を案内することもできるためである。また、リング部１４Ａの形状は、必ずしもリング状でなくてもよく、照射筒２２等の外形に応じた各種の形状が考えられる。
【００２８】
第１アーム１１は、ガイド部１４から例えばＸ線照射方向Ａに延びる樹脂部品である。この第１アーム１１は、ガイド部１４のアーム取付け部１４Ｂに取り付けられ、アーム取付け部１４Ｂの軸方向（リング部１４Ａの軸方向）に摺動可能となっている。第１アーム１１は、アーム取付け部１４Ｂの周方向に回動可能であってもよい。第１アーム１１の外径は、アーム取付け部１４Ｂの内径と同一又は該内径より若干大きく設定されている。これにより、アーム取付け部１４Ｂの軸方向において第１アーム１１を任意の位置で嵌合固定することができるようになっている。またこれによって、ガイド部１４からの第１アーム１１の突出長さを任意に調節可能となっている。なお、第１アーム１１が延びる方向は、Ｘ線照射方向Ａと平行に限られず、先端部１１Ａ又はその延長線がＸ線照射方向Ａと交差してもよい。
【００２９】
本実施形態において、第２アーム１２は、第１アーム１１の一端部の一例としての先端部１１Ａから延び、第１アーム１１に対する角度を変更可能とされている。具体的には、第２アーム１２は、例えばピン１３による結合により、第１アーム１１の先端部１１Ａに対して回動可能に取り付けられている。図１において、第２アーム１２は、第１アーム１１の先端部１１Ａからガイド部１４の中央側に、リング部１４Ａの径方向と略平行に延びている。第２アーム１２の先端部１２Ａは例えば二股構造となっており、ホルダ１６の基部２４を、その厚さ方向に弾性的に把持可能に構成されている。
【００３０】
ホルダ１６は、第２アーム１２に取り付けられ、Ｘ線受光部２９を保持可能な保持部２６を有している。保持部２６は、基部２４Ａの幅方向に長い略長方形の薄板状に形成されている。保持部２６には、図示しないクリップ等によって、Ｘ線受光部２９が保持されるようになっている。保持部２６は、第２アーム１２に取り付けられる基部２４に、例えば着脱自在に取り付けられるようになっている。保持部２６は、上下方向において基部２４に対して非対称に取り付けられている。第２アーム１２へのホルダ１６の取付け方により、保持部２６が上側に突出した状態と、下側に突出した状態を選択できるようになっている。具体的には、上顎歯列の撮影の際には、保持部２６が上側に突出した状態とされる。また、下顎歯列の撮影の際には、保持部２６が下側に突出した状態とされる。Ｘ線受光部２９としては、Ｘ線フィルム、イメージングプレート、センサ等、公知の撮影媒体が用いられる。
【００３１】
基部２４は、口内法Ｘ線撮影用インジケータ１０の使用時に患者２８（図４）が上下の歯で挟んで保持する部位であり、一般に咬翼と称される。この基部２４はＸ線照射方向Ａに長い略長方形の薄板状に構成されている。基部２４の例えば両面には、基部２４の幅方向に延びる直線状の突起部２４Ａが複数形成されている。図５に示されるように、患者２８が基部２４を上顎歯列３６と下顎歯列３８で挟んだときに、突起部２４Ａによって、歯と基部２４との位置ずれが抑制されるようになっている。なお、ホルダ１６において、基部２４と保持部２６が一体成形されていてもよい。
【００３２】
本実施形態の口内法Ｘ線撮影用インジケータ１０では、第１アーム１１に対する第２アーム１２の角度の変更により、Ｘ線照射方向Ａと保持部２６との交差角度θを調節可能とされている。交差角度θの範囲は、例えば７０度〜１００度である。この範囲には、その上限値と下限値が含まれる。
【００３３】
図６には、下顎歯列３８を平面視したときに、左臼歯の歯列方向Ｌと正放線ＡＬ１〜ＡＬ３とがそれぞれなす角度θＬ１〜θＬ３と、右臼歯の歯列方向Ｒと正放線ＡＲ１〜ＡＲ３とがそれぞれなす角度θＲ１〜θＲ３とが示されている。歯列方向Ｌは、左の第１小臼歯４１Ｌ、第２小臼歯４２Ｌ、第１大臼歯４３Ｌ、第２大臼歯４４Ｌの中心の並びを直線近似したものである。歯列方向Ｒは、右の第１小臼歯４１Ｒ、第２小臼歯４２Ｒ、第１大臼歯４３Ｒ、第２大臼歯４４Ｒの中心の並びを直線近似したものである。
【００３４】
正放線とは、互いに隣接する歯の共通接線である。正放線の方向にＸ線を照射することで、撮影画像における互いに隣接する歯の重なりを抑制できる。本実施形態では、第１アーム１１に対する第２アーム１２の角度を変更することにより、Ｘ線照射方向Ａを、正放線ＡＬ１〜ＡＬ３、ＡＲ１〜ＡＲ３にそれぞれ一致させることが可能となっている。
【００３５】
発明者らは、男女９２人に対する測定を行っている。彼らの平均年齢は２５．４±６．９歳であり、彼らの年齢範囲は１１〜４３歳である。右側の歯列方向Ｒに対する正放線ＡＲ１〜ＡＲ３の角度θＲ１〜θＲ３の平均値は表１に示されるとおりである。同様に、左側の歯列方向Ｌに対する正放線ＡＬ１〜ＡＬ３の角度θＬ１〜θＬ３の平均値は表２に示されるとおりである。表３には、右側と左側の平均値が示されている。なお、表１〜表３において、「±」の後の数字は、標準偏差を示している。
【００３６】
【表１】
2020048820.tif 000003
【００３７】
【表２】
2020048820.tif 000004
【００３８】
【表３】
2020048820.tif 000005
【００３９】
図２、図３に示されるように、第２アーム１２の基端部１２Ｂは、ピン１３と同心の円弧状に形成されており、その外縁に沿って角度θを示す目盛３２が設けられている。また、第１アーム１１の先端部１１Ａには、目盛３２を合わせる基準となる基準標示３４が設けられている。図３に示されるように、目盛３２は、７０度〜１００度まで、例えば５度刻みで設けられている。なお、目盛３２に付される文字は、角度に限られず、例えば歯の位置を示す番号やイラストであってもよい。このようにすることで、角度θの数値を意識する必要がなくなり、使い勝手が良好となるためである。
【００４０】
なお、図示の例とは逆に、第１アーム１１に目盛３２が設けられ、第２アーム１２に基準標示３４が設けられていてもよい。また、具体的な構成は省略するが、目盛３２の各々角度が基準標示３４に合致したときに節度感が生じるように構成されていることが好ましい。
【００４１】
（作用）
本実施形態は、上記のように構成されており、以下その作用について説明する。口内法によるＸ線撮影を行う際には、撮影対象の顎部側に保持部２６が突出するようにして、ホルダ１６の基部２４を第２アーム１２の先端部１２Ａに取り付ける。保持部２６には、Ｘ線受光部２９が取り付けられる。図１に示される例では保持部２６が上側に突出している。これは、上顎歯列３６の撮影時におけるホルダ１６の取付け方である。図５に示される例では、保持部２６が下側に突出している。これは、下顎歯列３８の撮影時におけるホルダ１６の取付け方である。
【００４２】
図１に示されるように、第１アーム１１は、ガイド部１４からＸ線照射方向Ａに延びている。第２アーム１２は、第１アーム１１に取り付けられており、第１アーム１１に対する第２アーム１２の角度は変更可能とされている。第２アーム１２には、Ｘ線受光部２９を保持可能な保持部２６を有するホルダ１６が取り付けられている。
【００４３】
第１アーム１１に対する第２アーム１２の角度を変更すると、第１アーム１１が延びる方向であるＸ線照射方向Ａと、第２アーム１２に取り付けられたホルダ１６の保持部２６との交差角度θが変化する。したがって、Ｘ線照射方向Ａと保持部２６との交差角度θが従来のように９０度（直角）に限定されず、該交差角度θを９０度より小さくしたり、大きくしたりすることが可能である。特に、本実施形態では、第２アーム１２を第１アーム１１に対して回動させることで、第１アーム１１に対する第２アーム１２の角度を容易に変更することができる。このため、Ｘ線照射方向Ａと保持部２６との交差角度θを容易に調節することができる。
【００４４】
ここから、下顎歯列３８を撮影する場合について説明する。図２、図３において、撮影する臼歯の位置に応じて、歯列の並び方向に対する正放線の角度を、例えば表３に記載の数値を参照して決定し、第２アーム１２に設けられた目盛３２を第１アーム１１の基準標示３４に合わせる。例えば上顎臼歯部では、歯列の並び方向に対する正放線の角度が約８０度である。したがって、口内法によるＸ線撮影を行う場合、Ｘ線照射方向Ａと保持部２６との交差角度θが８０度となるように、第１アーム１１に対する第２アーム１２の角度を調節しておく。これにより、Ｘ線照射方向Ａと保持部２６との交差角度θを、歯列の並び方向に対する正放線の角度と一致又は近似させることができる。
【００４５】
図４に示されるように、ガイド部１４は、Ｘ線照射装置１８の照射筒２２に嵌め込まれる。このガイド部１４により、Ｘ線照射装置１８からのＸ線照射方向Ａを案内することができる。ホルダ１６に取り付けられたＸ線受光部２９は、患者２８の口内に挿入される。
【００４６】
なお、図４におけるＸ線照射装置１８は、上顎歯列３６を撮影する位置に描かれている。下顎歯列３８を撮影する際には、Ｘ線照射装置１８はより下方に配置される。
【００４７】
図５において、保持部２６（Ｘ線受光部２９）は、下顎歯列３８の内側に沿って配置される。患者２８（図４）が上顎歯列３６と下顎歯列３８とで基部２４を噛んで挟むと、口内法Ｘ線撮影用インジケータ１０が保持される。そうすると、図７に示されるように、Ｘ線照射方向Ａが、互いに隣接する歯の共通接線（正放線）に一致又は近似する。換言すれば、Ｘ線照射方向Ａと保持部２６とがなす角度が、正放線と保持部２６とがなす角度θと一致又は近似する。このため、口内法によるＸ線撮影時に、歯の隣接面同士の重なりが抑制された画像が得られる。
【００４８】
歯列の並び方向と正放線とがなす角度は、歯の位置によって変化するものの、７０度〜１００度の範囲に収まっている。本実施形態では、Ｘ線照射方向Ａと保持部２６との交差角度θの範囲が上記のように設定されているので、どの位置の歯についても、口内法によるＸ線撮影時に、歯の隣接面同士の重なりが抑制された画像が得られる。Ｘ線照射方向Ａと保持部２６（Ｘ線受光部２９）との交差角度が９０度でない場合、Ｘ線撮影時の投影法は、一種の偏心投影法となる。つまり、本実施形態に係る口内法Ｘ線撮影用インジケータ１０は、偏心投影法に用いることも可能である。
【００４９】
ここで、図８から図１０において、Ｘ線撮影方向によるＸ線撮影時の画像の違いについて説明する。図８では、Ｘ線照射方向Ａが正放線の方向とほぼ一致している。このため、図９に示される画像では、臼歯の隣接面同士の重なりが抑制されている。一方、図１０では、Ｘ線照射方向Ａが正放線と大きく異なっている。このため、図１１に示される画像では、臼歯の隣接面同士に重なりが生じている。
【００５０】
［第２実施形態］
図１２において、本実施形態に係る口内法Ｘ線撮影用インジケータ２０では、図１に示した第１アーム１１に対する第２アーム１２の角度変更に加え、ホルダ１６において、基部２４に対する保持部２６の角度が変更可能とされている。具体的には、保持部２６は、例えば回動部４８を介して基部２４に取り付けられている。回動部４８は、ピン４６により基部２４に回動可能に取り付けられている。回動部４８のうち基部２４に重なる側に位置する一端は、ピン４６と同心の円弧状に形成されており、その外縁に沿って目盛５２が設けられている。また、基部２４には、目盛５２を合わせる基準となる基準標示５４が設けられている。
【００５１】
回動部４８の他端部には、保持部２６が取り付けられる平面状の取付け面４８Ａが設けられている。取付け面４８Ａの中央には、突起４８Ｂが設けられている。保持部２６の上下方向の一端には、貫通孔２６Ａが形成されている。この貫通孔２６Ａの直径は、突起４８Ｂの外径より若干小さく設定されており、貫通孔２６Ａの部位を突起４８Ｂに嵌め込むことにより、保持部２６が回動部４８の取付け面４８Ａに取り付けられるようになっている。なお、この嵌込み構造を、第１実施形態に適用してもよい。保持部２６は、回動部４８に対して着脱自在である。
【００５２】
回動部４８の目盛５２は、第１実施形態における目盛３２に対応している。目盛５２を目盛３２と同じ条件に設定することにより、図１３において、Ｘ線照射方向Ａと保持部２６（Ｘ線受光部２９）との交差角度を９０度又は略９０度にできるようになっている。これは、目盛３２での角度設定によりＸ線照射方向Ａと保持部２６（Ｘ線受光部２９）との交差角度θが９０度からずれる場合に、目盛５２での角度設定により該交差角度θを９０度に戻すことが可能であり、偏心のない投影が可能であることを意味している。
【００５３】
基部２４の下には、例えば複数の突起部２４Ｂが立設されている。患者２８（図４）が基部２４を噛んで保持する際に、歯が複数の突起部２４Ｂの間に入り込むことにより、基部２４の位置が安定的するようになっている。この突起部２４Ｂは、基部２４の上面に設けられていてもよく、また基部２４の両面に設けられていてもよい。
【００５４】
他の部分については、第１実施形態と同様であるので、同一の部分には図面に同一の符号を付し、説明を省略する。
【００５５】
（作用）
本実施形態は、上記のように構成されており、以下その作用について説明する。図７に示されるように、Ｘ線照射方向Ａと保持部２６との交差角度θが９０度（直角）でない状態で撮影した場合、歯の隣接面同士の重なりが抑制された画像が得られるものの、投影法が一種の偏心投影法となる。このため、その画像では、歯が歯列方向に若干引き伸ばされた状態となる。
【００５６】
図１３において、本実施形態に係る口内法Ｘ線撮影用インジケータ２０では、ホルダ１６において、基部２４に対する保持部２６の角度が変更可能となっている。具体的には、ピン４６を中心として保持部２６を基部２４に対して矢印Ｂ方向に回動させることで、基部２４に対する保持部２６の角度を容易に変更することができる。これによって、Ｘ線照射方向Ａと保持部２６との交差角度θが９０度となるように、該交差角度θを容易に調節することができる。補足すると、図１３において二点鎖線で示されるように、目盛３２（図１）での角度設定によりＸ線照射方向Ａと保持部２６（Ｘ線受光部２９）との交差角度θが９０度でなくなる場合に、９０−θ（度）を相殺する角度設定を目盛５２（図１２）で行うことにより該交差角度θを９０度に戻すことが可能である。９０−θ（度）を相殺する角度とは、例えば−（９０−θ）（度）である。
【００５７】
このように、Ｘ線照射方向Ａと保持部２６との交差角度θが９０度（直角）となるように保持部２６の角度を変更することで、歯が歯列方向に引き伸ばされて撮影されることを抑制できる。このため、歯の形状を正確に撮影することができる。
【００５８】
［第３実施形態］
図１４において、本実施形態に係る口内法Ｘ線撮影用インジケータ３０では、ガイド部１４（図１参照）と、アーム５６と、ホルダ１６と、を有している。
【００５９】
アーム５６は、ガイド部１４から延びている。このアーム５６は、例えば第１実施形態における第１アーム１１と第２アーム１２（図１）とが、互いの角度変化が不可能なように一体的に形成されたものと考えることができる。
【００６０】
ホルダ１６の基部２４は、アーム５６に対する角度を変更可能とされ、基部２４の角度の変更により、Ｘ線照射方向Ａと保持部２６との交差角度θを調節可能とされている。交差角度を調節可能とするために、第１実施形態における第１アーム１１と第２アーム１２の結合構造（図２及び図３）と同様の構成等にすることが考えられる。図１４では、アーム５６の先端と基部２４とが、例えばピン５８により結合されている。これにより、基部２４（ホルダ１６）がアーム５６に対して回動可能に取り付けられている。
【００６１】
他の部分の構成及び作用効果については、第１実施形態と同様であるので、同一の部分には図面に同一の符号を付し、説明を省略する。
【００６２】
［第４実施形態］
図１５において、本実施形態に係る口内法Ｘ線撮影用インジケータ４０では、第１実施形態における第２アーム１２の先端部１２Ａと同様に、アーム５６の先端部５６Ａが例えば二股構造となっており、ホルダ１６の基部２４を、その厚さ方向に弾性的に把持可能に構成されている。
【００６３】
ホルダ１６の保持部２６は、基部２４に対する角度を変更可能とされ、保持部２６の角度の変更により、Ｘ線照射方向Ａと保持部２６との交差角度θを調節可能とされている。具体的には、保持部２６は、例えば回動部６０を介して基部２４に取り付けられている。回動部６０は、上下一対の上板部６０Ａ及び下板部６０Ｂを有している。回動部６０には保持部２６が取り付けられている。保持部２６は回動部６０と一体的に構成されていてもよく、また回動部６０に対して着脱可能であってもよい。
【００６４】
図１６に示されるように、上板部６０Ａと下板部６０Ｂとの間には、基部２４が挟まれている。回動部６０の幅は、例えば基部２４の幅と同等とされている。回動部６０は、ピン６１により基部２４に対して回動可能に取り付けられている。ピン６１は、上板部６０Ａ、基部２４及び下板部６０Ｂを厚さ方向に貫いている。図１５に示されるように、保持部２６（Ｘ線受光部２９）を例えば下顎歯列３８の内側に沿って配置したとき、ピン６１は該下顎歯列３８の外側に位置するように設けられている。回動部６０は、口内法Ｘ線撮影用インジケータ４０の使用時には、患者２８（図４）が上下の歯で挟んで保持する部位となる。
【００６５】
回動部６０のうち基部２４に重なる側に位置する一端は、ピン６１と同心の円弧状に形成されており、その外縁に沿って目盛６２が設けられている。また、基部２４には、目盛６２を合わせる基準となる基準標示６４が設けられている。
【００６６】
他の部分の構成及び作用効果については、第１実施形態又は第３実施形態と同様であるので、同一の部分には図面に同一の符号を付し、説明を省略する。
【００６７】
［第５実施形態］
図１７において、本実施形態に係る口内法Ｘ線撮影用インジケータ５０では、第２実施形態と同様に、ホルダ１６において、基部２４に対する保持部２６の角度が変更可能とされている。具体的には、保持部２６は、例えば回動部６８を介して基部２４に取り付けられている。回動部６８には保持部２６が取り付けられている。保持部２６は回動部６８と一体的に構成されていてもよく、また回動部６８に対して着脱可能であってもよい。
【００６８】
回動部６８は、ピン６６により基部２４に回動可能に取り付けられている。図１８に示されるように、基部２４には薄肉の段差部２４Ｃが形成されている。段差部２４Ｃの範囲は、回動部６８の回動範囲を考慮して設定されている。回動部６８の一端は、段差部２４Ｃの高さ（基部２４の表面からの落差）と同等の厚さに形成され、該段差部２４Ｃに重なっている。これにより、基部２４の表面と回動部６８の表面とが面一に設定されている。
【００６９】
図１７に示されるように、保持部２６（Ｘ線受光部２９）を例えば下顎歯列３８の内側に沿って配置したとき、ピン６６は該下顎歯列３８の上、つまり上下の歯で挟まれる場所に位置する。しかしながら、基部２４の表面と回動部６８の表面とが面一に設定されているため、面一でない場合と比較して、患者２８（図４）に違和感を与え難い。
【００７０】
回動部６８の一端は、ピン６６と同心の円弧状に形成されており、その外縁に沿って目盛７２が設けられている。また、基部２４には、目盛７２を合わせる基準となる基準標示７４が設けられている。
【００７１】
他の部分及び作用効果については、第１実施形態、第３実施形態又は第４実施形態と同様であるので、同一の部分には図面に同一の符号を付し、説明を省略する。
【００７２】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００７３】
第２アーム１２が、第１アーム１１に対して回動可能に取り付けられるものとしたが、回動可能な構造に限られず、第１アーム１１に対する第２アーム１２の角度を変更可能な構造であれば、どのような構造であってもよい。例えば第１アームと第２アームとを着脱可能とし、第１アームに対する第２アームの取付け角度を選択できるようにしてもよい。第２実施形態における保持部２６（回動部４８）と基部２４との回動や、第３実施形態における保持部２６とアーム５６との回動、第４実施形態における保持部２６（回動部６０）と基部２４との回動、第５実施形態における保持部２６（回動部６８）と基部２４との回動についても同様である。
【００７４】
第１アーム１１に対する第２アーム１２の角度を変更可能とする態様（第１実施形態）、基部２４に対する保持部２６の角度を変更可能とする態様（第２実施形態、第４実施形態及び第５実施形態）、第２アーム１２に対する基部２４の角度を変更可能とする態様（第３実施形態）は、各態様の何れか２つ又はそのすべてを組み合わせることもできる。第２実施形態は、第１実施形態に加え、基部２４に対する保持部２６の角度を変更可能とした態様であるが、他の態様との組み合わせであっても、第２実施形態と同様の作用効果を奏する。
【００７５】
交差角度θの範囲が、７０度〜１００度であるものとしたが、これに限られず、例えば８０度〜９５度であってもよい。
【符号の説明】
【００７６】
１０    口内法Ｘ線撮影用インジケータ
１１    第１アーム
１１Ａ  先端部（一端部）
１２    第２アーム
１４    ガイド部
１６    ホルダ
１８    Ｘ線照射装置
２０    口内法Ｘ線撮影用インジケータ
２４    基部
２６    保持部
２９    Ｘ線受光部
３０    口内法Ｘ線撮影用インジケータ
４０    口内法Ｘ線撮影用インジケータ
Ａ    Ｘ線照射方向
【図１】
2020048820.tif 000006
【図２】
2020048820.tif 000007
【図３】
2020048820.tif 000008
【図４】
2020048820.tif 000009
【図５】
2020048820.tif 000010
【図６】
2020048820.tif 000011
【図７】
2020048820.tif 000012
【図８】
2020048820.tif 000013
【図９】
2020048820.tif 000014
【図１０】
2020048820.tif 000015
【図１１】
2020048820.tif 000016
【図１２】
2020048820.tif 000017
【図１３】
2020048820.tif 000018
【図１４】
2020048820.tif 000019
【図１５】
2020048820.tif 000020
【図１６】
2020048820.tif 000021
【図１７】
2020048820.tif 000022
【図１８】
2020048820.tif 000023